(57)【特許請求の範囲】
【請求項２】
少なくとも操舵トルクに基づいて演算された第１のモータ電流指令値によりモータを駆動する手動操舵制御と、舵角制御部で、目標操舵角に実操舵角を追従させるように演算された第２のモータ電流指令値により前記モータを駆動する自動操舵制御とを切り換える機能を有する電動パワーステアリング装置において、
前記操舵トルクに対して、操舵状態及び車速に応じた演算処理を行い、目標操舵角補正値を出力する目標操舵角補正部と、
前記目標操舵角を前記目標操舵角補正値で補正し、補正された補正目標操舵角を前記舵角制御部に入力する補正出力部と、
を具備し、
前記目標操舵角補正部が、
前記操舵トルクを前記操舵状態に基づいて位相進み補償若しくは位相遅れ補償する位相補償部と、
前記位相補償部からの第１の補償操舵トルクを入力し、前記第１の補償操舵トルクが小さい領域で不感帯を有すると共に、前記車速に応じて、前記第１の補償操舵トルクの増加方向と同じ方向に増加する第２の補償操舵トルクを出力する不感帯ゲイン部と、
前記第２の補償操舵トルクの上下限値を前記車速に応じて制限し、前記補正目標操舵角を出力するリミッタと、
で構成されていることを特徴とする電動パワーステアリング装置。
【請求項３】
前記不感帯ゲイン部の後段に第２の位相補償部が設けられている請求項２に記載の電動パワーステアリング装置。
【請求項４】
少なくとも操舵トルクに基づいて演算された第１のモータ電流指令値によりモータを駆動する手動操舵制御と、舵角制御部で、目標操舵角に実操舵角を追従させるように演算された第２のモータ電流指令値により前記モータを駆動する自動操舵制御とを切り換える機能を有する電動パワーステアリング装置において、
前記操舵トルクに対して、操舵状態及び車速に応じた演算処理を行い、目標操舵角補正値を出力する目標操舵角補正部と、
前記目標操舵角を前記目標操舵角補正値で補正し、補正された補正目標操舵角を前記舵角制御部に入力する補正出力部と、
を具備し、
前記目標操舵角補正部が、
前記操舵トルクを入力し、前記操舵トルクが小さい領域で不感帯を有すると共に、前記車速に応じて、前記操舵トルクの増加方向と同じ方向に増加する第１の補償操舵トルクを出力する不感帯ゲイン部と、
前記第１の補償操舵トルクを前記操舵状態に基づいて位相進み補償若しくは位相遅れ補償する位相補償部と、
前記位相補償部からの第２の補償操舵トルクの上下限値を前記車速に応じて制限し、前記補正目標操舵角を出力するリミッタと、
で構成されていることを特徴とする電動パワーステアリング装置。
【請求項５】
前記不感帯ゲイン部の前段に第２の位相補償部が設けられている請求項４に記載の電動パワーステアリング装置。
【請求項６】
前記不感帯ゲイン部の出力ゲインが、前記車速が高くなるに従って小さくなる請求項２乃至５のいずれかに記載の電動パワーステアリング装置。
【請求項７】
前記リミッタのリミット値が、前記車速が高くなるに従って小さくなる請求項２乃至５のいずれかに記載の電動パワーステアリング装置。
【請求項８】
前記不感帯が、前記車速に応じて可変である請求項２乃至５のいずれかに記載の電動パワーステアリング装置。
【請求項９】
前記操舵状態が、ハンドルの切増し若しくは切戻しである請求項２乃至８のいずれかに記載の電動パワーステアリング装置。
【請求項１０】
前記切増し及び切戻しの判定を、前記実操舵角とモータ角速度との関係、又は前記実操舵角と舵角速度との関係、又は前記操舵トルクと舵角速度との関係、又は前記舵角速度と前記目標操舵角及び前記実操舵角の偏差との関係、又は前記目標操舵角の変化率及び前記舵角速度の偏差と前記目標操舵角及び操舵角の偏差との関係に基づいて行うようになっている請求項９に記載の電動パワーステアリング装置。
【請求項１１】
前記補正出力部が加算部である請求項２乃至１０のいずれかに記載の電動パワーステアリング装置。
【発明の詳細な説明】
【技術分野】
【０００１】
本発明は、車両の操舵制御において自動操舵制御モード（駐車支援等の舵角制御モード）及び手動操舵制御モード（アシスト制御モード）の切換機能を有し、モータ電流指令値によりモータを駆動し、車両の操舵系にアシスト力を付与するようにした電動パワーステアリング装置に関し、特に自動操舵制御モードの舵角制御の目標舵角値を操舵トルクが加えられた方向と同一方向に補正すると共に、補正量を車速、操舵状態に応じて可変することで操舵トルクが切換閾値に達していない状態での、運転者の操舵感を改善した電動パワーステアリング装置に関する。
【背景技術】
【０００２】
車両のステアリング機構にモータの回転力で操舵補助力（アシスト力）を付与する電動パワーステアリング装置（ＥＰＳ）は、モータの駆動力を減速機を介してギア又はベルト等の伝達機構により、ステアリングシャフト或いはラック軸に操舵補助力を付与するようになっている。かかる従来の電動パワーステアリング装置は、操舵補助力のトルクを正確に発生させるため、モータ電流のフィードバック制御を行っている。フィードバック制御は、操舵補助指令値（電流指令値）とモータ電流検出値との差が小さくなるようにモータ印加電圧を調整するものであり、モータ印加電圧の調整は、一般的にＰＷＭ（パルス幅変調）制御のデューティの調整で行っている。【０００３】
電動パワーステアリング装置の一般的な構成を図１に示して説明すると、ハンドル（ステアリングホイール）１のコラム軸（ステアリングシャフト、ハンドル軸）２は減速ギア３、ユニバーサルジョイント４ａ及び４ｂ、ラック・ピニオン機構５、タイロッド６ａ，６ｂを経て、更にハブユニット７ａ，７ｂを介して操向車輪８Ｌ，８Ｒに連結されている。また、コラム軸２には、ハンドル１の操舵角θｒを検出する舵角センサ１４及び操舵トルクＴｈを検出するトルクセンサ１０が設けられており、ハンドル１の操舵力を補助するモータ２０が減速ギア３を介してコラム軸２に連結されている。電動パワーステアリング装置を制御するコントロールユニット（ＥＣＵ）３０には、バッテリ１３から電力が供給されると共に、イグニションキー１１を経てイグニションキー信号ＩＧが入力される。コントロールユニット３０は、トルクセンサ１０で検出された操舵トルクＴｈと車速センサ１２で検出された車速Ｖｓとに基づいてアシスト制御の電流指令値の演算を行い、電流指令値に補償等を施した電圧制御指令値Ｖｒｅｆによってモータ２０に供給する電流を制御する。なお、舵角センサ１４からは操舵角θｒが検出されるが、モータ２０に連結された回転センサから得ることもできる。【０００４】
コントロールユニット３０には、車両の各種情報を授受するＣＡＮ（Controller  Area  Network）４０が接続されており、車速ＶｓはＣＡＮ４０から受信することも可能である。また、コントロールユニット３０には、ＣＡＮ４０以外の通信、アナログ／ディジタル信号、電波等を授受する非ＣＡＮ４１も接続可能である。【０００５】
コントロールユニット３０は主としてＣＰＵ（ＭＰＵやＭＣＵも含む）で構成されるが、そのＣＰＵ内部においてプログラムで実行される一般的な機能を示すと図２のようになる。【０００６】
図２を参照してコントロールユニット３０の機能及び動作を説明すると、トルクセンサ１０で検出された操舵トルクＴｈ及び車速センサ１２で検出された（若しくはＣＡＮからの）車速Ｖｓは、電流指令値Ｉｒｅｆ１を演算する電流指令値演算部３１に入力される。電流指令値演算部３１は、入力された操舵トルクＴｈ及び車速Ｖｓに基づいてアシストマップ等を用いて、モータ２０に供給する電流の制御目標値である電流指令値Ｉｒｅｆ１を演算する。電流指令値Ｉｒｅｆ１は加算部３２Ａを経て電流制限部３３に入力され、過熱保護条件で最大電流を制限された電流指令値Ｉｒｅｆ３が減算部３２Ｂに入力され、フィードバックされているモータ電流値Ｉｍとの偏差Ｉｒｅｆ４（＝Ｉｒｅｆ３−Ｉｍ）が演算され、その偏差Ｉｒｅｆ４が操舵動作の特性改善のためのＰＩ制御部３５に入力される。ＰＩ制御部３５で特性改善された電圧制御指令値ＶｒｅｆがＰＷＭ制御部３６に入力され、更に駆動部としてのインバータ３７を介してモータ２０がＰＷＭ駆動される。モータ２０の電流値Ｉｍはモータ電流検出器３８で検出され、減算部３２Ｂにフィードバックされる。【０００７】
また、モータ２０にはレゾルバ等の回転センサ２１が接続されており、実操舵角θｓが検出される。加算部３２Ａには補償部３４からの補償信号ＣＭが加算されており、補償信号ＣＭの加算によってシステム系の補償を行い、収れん性や慣性特性等を改善するようになっている。補償部３４は、セルフアライニングトルク（ＳＡＴ）３４３と慣性３４２を加算部３４４で加算し、その加算結果に更に収れん性３４１を加算部３４５で加算し、加算部３４５の加算結果を補償信号ＣＭとしている。【０００８】
このような電動パワーステアリング装置において、近年自動操舵制御モード（駐車支援等の舵角制御モード）及び手動操舵制御モード（アシスト制御モード）を有し、これら制御モードの切換機能を有する車両が出現して来ており、自動操舵を実現する場合、舵角制御とアシスト制御を独立して保有し、これらの出力を切り換える構成が一般的である。舵角制御には、応答性や外乱抑圧性で優れた性能を持つ位置速度制御が用いられており、位置制御はＰ（比例）制御、速度制御はＰＩ（比例積分）制御等で構成される。【０００９】
舵角制御モード及びアシスト制御モードの機能を具備し、操舵制御モードを切り換える機能を有する一般的な電動パワーステアリング装置を図３について説明すると、モータ１５０にはモータ回転角θｓを検出するためのレゾルバ等の回転センサ１５１が接続されており、モータ１５０は車両側ＥＣＵ１３０及びＥＰＳ側ＥＣＵ１４０を介して駆動制御される。車両側ＥＣＵ１３０は、運転者の意思を示すボタン、スイッチ等に基づいて、舵角制御モード又はアシスト制御モードの切換指令ＳＷを出力する切換指令部１３１と、カメラ（画像）やレーザレーダなどの信号に基づいて目標操舵角θｔを生成する目標操舵角生成部１３２とを具備している。また、コラム軸（ステアリングシャフト、ハンドル軸）に設けられた舵角センサ１４で検出された実操舵角θｒは、ＥＣＵ１３０を経てＥＰＳ側ＥＣＵ１４０内の舵角制御部２００に入力される。【００１０】
切換指令部１３１は、舵角制御モードに入ることを識別する信号、例えば運転者の意思をダッシュボードやハンドル周辺に設けたボタンやスイッチ、或いはシフトに設けた駐車モードなどによる車両状態の信号を基に切換指令ＳＷを出力し、切換指令ＳＷをＥＰＳ側ＥＣＵ１４０内の切換部１４２に入力する。また、目標操舵角生成部１３２は、カメラ（画像）、レーザレーダなどのデータを基に公知の手法で目標操舵角θｔを生成し、生成された目標操舵角θｔをＥＰＳ側ＥＣＵ１４０内の舵角制御部２００に入力する。【００１１】
ＥＰＳ側ＥＣＵ１４０は、操舵トルクＴｈ及び車速Ｖｓに基づいて演算されたアシスト制御指令値Ｉｔｒｅｆを出力するアシスト制御部１４１と、目標操舵角θｔ、実操舵角θｒ及びモータ角速度ωｒに基づいて舵角制御のための舵角制御指令値Ｉｍｒｅｆを演算して出力する舵角制御部２００と、切換指令ＳＷによってアシスト制御指令値Ｉｔｒｅｆ及び舵角制御指令値Ｉｍｒｅｆを切り換える切換部１４２と、切換部１４２からのモータ電流指令値Ｉｒｅｆ（＝Ｉｔｒｅｆ又はＩｍｒｅｆ）に基づいてモータ１５０を駆動制御する電流制御／駆動部１４３と、回転センサ１５１からのモータ回転角θｓに基づいてモータ速度を求め、モータ速度とギア比を用いて実舵角速度ωｒを演算するモータ角速度演算部１４４とを具備している。モータ角速度演算部１４４は、微分相当の演算の後段に高周波ノイズをカットするためのローパスフィルタ（ＬＰＦ）を備えている。【００１２】
舵角制御部２００は図４に示すように、目標操舵角θｔに実操舵角θｒを追従させるように舵角速度指令値ωｃを出力する位置制御部２１０と、舵角速度指令値ωｃに実舵角速度ωｒを追従させるように舵角制御指令値Ｉｍｒｅｆを出力する速度制御部２２０とで構成されている。また、切換部１４２は、車両側ＥＣＵ１３０の切換指令部１３１からの切換指令ＳＷに基づいて、アシスト制御部１４１によるアシスト制御モード（手動操舵制御）と、舵角制御部２００による舵角制御モード（位置／速度制御モード）とを切り換え、アシスト制御ではアシスト制御指令値Ｉｔｒｅｆを出力し、舵角制御では舵角制御指令値Ｉｍｒｅｆを出力する。【００１３】
このような機能を備えた電動パワーステアリング装置において、従来は予め記憶した車両の移動距離と転舵角との関係に基づいてアクチュエータ（モータ）を制御することにより、バック駐車や縦列駐車を自動で行うようになっている。そして、従来の操舵制御装置は、実操舵角を車両に応じて設定される目標操舵角に一致するように、モータ電流指令値を演算し、自動操舵制御を実現している。例えば特許第４０５７９５５号公報（特許文献１）に示される自動操舵装置では、舵角制御からトルクアシスト制御への切り換えの際に、フェード移行時間をアシストトルク量に応じて変更することにより、制御切り換え時の違和感を減少させている。
【先行技術文献】
【特許文献】
【００１４】
【特許文献１】特許第４０５７９５５号公報
【特許文献２】特開２０１５−９３５６９号公報
【発明の概要】
【発明が解決しようとする課題】
【００１５】
目標操舵角に実操舵角を追従させる自動操舵を行う電動パワーステアリング装置の自動操舵制御中に、運転者がハンドルを操舵したと判定した場合には自動制御を中止し、手動操舵制御のアシスト制御に円滑に切り換わることが望ましい。舵角制御中であっても、運転者が操舵したと判定する閾値に達していない場合には、運転者のステアリング操作に対して違和感の無い舵角制御を継続することが望ましい。また、舵角制御中であっても運転者が操舵したと判定する閾値に達していない場合には、運転者のステアリング操作に対して違和感の無い制御を継続することが望ましい。【００１６】
自動操舵制御は目標操舵角に対して実操舵角が一致するように制御を行うが、運転者がステアリング機構を操作して操舵トルクを加えた場合、実操舵角が目標操舵角から離れてしまう。そのため、自動操舵制御は実操舵角が目標操舵角に一致するように、操舵トルクに対して対抗するように、操舵トルクとは逆方向のモータ電流指令値を出力する。【００１７】
一方で、アシスト制御は操舵トルクを補助するように出力するため、操舵トルクとは同方向のモータ電流指令値を出力する。従って、操舵トルクが加えられた場合の自動操舵制御から手動操舵制御への切り換え時には、それぞれの出力が逆方向となるため、運転者としては操舵トルクが加えられてから、自動操舵制御により一時的に操舵トルクとは逆方向のアシストがなされた後に、フェード処理により徐々に手動操舵制御に切り換わる。つまり、最終的には操舵トルクと同一方向のアシストがなされることになる。これは、運転者としては、自動操舵制御から手動操舵制御に切り換わる際に引っ掛かった感覚となり、違和感となる。また、アシスト制御へ切り換わらない閾値以下での操舵では、舵角制御の出力が運転者の操舵に対抗して目標操舵角に一致させようとするため、運転者は自由な操舵ができない。【００１８】
また、特開２０１５−９３５６９号公報（特許文献２）には、舵角偏差と、目標操舵トルクと操舵トルクの偏差の物理値を合わせ、操舵介入に応じて割合を変えながら混合し、混合後に偏差を小さくするように運転者の操舵介入を目標値に反映する操舵制御装置が開示されている。特許文献２は運転者の操舵介入を目標値に反映しているが、アシスト偏差及び追従偏差に重みを設定すると共に、単位を一致させて重みに従って混合しているので、制御系が複雑になってしまう。更に、運転者の動的操舵を考慮した構成ではないため、動的な操舵特性を設定することが困難である。【００１９】
本発明は上述のような事情よりなされたものであり、本発明の目的は、自動操舵制御中に運転者がハンドルを操舵した時に、簡易な構成で円滑に操舵を切り換えることができ、運転者に違和感を与えないようにした高性能な電動パワーステアリング装置を提供することにある。
【課題を解決するための手段】
【００２０】
本発明は、少なくとも操舵トルクに基づいて演算された第１のモータ電流指令値によりモータを駆動する手動操舵制御と、舵角制御部で、目標操舵角に実操舵角を追従させるように演算された第２のモータ電流指令値により前記モータを駆動する自動操舵制御とを切り換える機能を有する電動パワーステアリング装置に関し、本発明の上記目的は、前記操舵トルクに対して、操舵状態及び車速に応じた演算処理を行い、目標操舵角補正値を出力する目標操舵角補正部と、前記目標操舵角を前記目標操舵角補正値で補正し、補正された補正目標操舵角を前記舵角制御部に入力する補正出力部とを具備することにより達成される。【００２１】
本発明の上記目的は、前記目標操舵角補正部が、前記操舵トルクを前記操舵状態に基づいて位相進み補償若しくは位相遅れ補償する位相補償部と、前記位相補償部からの第１の補償操舵トルクを入力し、前記第１の補償操舵トルクが小さい領域で不感帯を有すると共に、前記車速に応じて、前記第１の補償操舵トルクの増加方法と同じ方向に増加する第２の補償操舵トルクを出力する不感帯ゲイン部と、前記第２の補償操舵トルクの上下限値を前記車速に応じて制限し、前記補正目標操舵角を出力するリミッタとで構成されていることにより、或いは前記不感帯ゲイン部の後段に第２の位相補償部が設けられていることにより、或いは前記目標操舵角補正部が、前記操舵トルクを入力し、前記操舵トルクが小さい領域で不感帯を有すると共に、前記車速に応じて、前記操舵トルクの増加方法と同じ方向に増加する第１の補償操舵トルクを出力する不感帯ゲイン部と、前記第１の補償操舵トルクを前記操舵状態に基づいて位相進み補償若しくは位相遅れ補償する位相補償部と、前記位相補償部からの第２の補償操舵トルクの上下限値を前記車速に応じて制限し、前記補正目標操舵角を出力するリミッタとで構成されていることにより、或いは前記不感帯ゲイン部の前段に第２の位相補償部が設けられていることにより、或いは前記不感帯ゲイン部の出力ゲインが、前記車速が高くなるに従って小さくなることにより、或いは前記リミッタのリミット値が、前記車速が高くなるに従って小さくなることにより、或いは前記不感帯が、前記車速に応じて可変であることにより、或いは前記操舵状態が、ハンドルの切増し若しくは切戻しであることにより、或いは前記切増し及び切戻しの判定を、前記実操舵角とモータ角速度との関係、又は前記実操舵角と舵角速度との関係、又は前記操舵トルクと舵角速度との関係、又は前記舵角速度と前記目標操舵角及び前記実操舵角の偏差との関係、又は前記目標操舵角の変化率及び前記舵角速度の偏差と前記目標操舵角及び操舵角の偏差との関係に基づいて行うようになっていることにより、或いは前記補正出力部が加算部であることにより、より効果的に達成される。
【発明の効果】
【００２２】
本発明の電動パワーステアリング装置によれば、駐車支援、自動走行等の自動操舵制御時にはハンドルの舵角制御を行うが、運転者により操舵トルクが加わった際に、目標操舵角を操舵トルクが加わった方向と同一方向に補正し、その目標操舵角に一致するように舵角制御を実施すると共に、補正量を車速及び操舵状態に応じて可変している。これにより、補正した目標操舵角に対しての舵角制御と操舵トルクによるアシスト制御の出力を互いにある割合で足し合わせて制御する場合、自動操舵制御と手動操舵制御の出力の方向を一致させることができ、互いの制御出力が干渉し難くなるため、切り換え時に発生する運転者への違和感を減少させることができる。また、操舵トルクが切換閾値に達していない状態での操舵感を改善することができ、運転者に対する安全性の向上にも繋がる。【００２３】
また、本発明では、急激な目標操舵角については円滑化して制御しているので、自動運転においても運転者に不安感を与えることもない。
【図面の簡単な説明】
【００２４】
【図１】電動パワーステアリング装置の概要を示す構成図である。
【図２】電動パワーステアリング装置の制御系の構成例を示すブロック図である。
【図３】自動操舵制御モード及び手動操舵制御モードの切換機能有する電動パワーステアリング装置の一例を示すブロック図である。
【図４】舵角制御部の構成例を示すブロック図である。
【図５】本発明の構成例を示すブロック図である。
【図６】本発明の目標操舵角補正部の構成例（第１実施形態）を示すブロック図である。
【図７】不感帯ゲイン部の特性例を示す特性図である。
【図８】リミッタの特性例を示す特性図である。
【図９】位相補償を説明するための特性図である。
【図１０】操舵状態（切増し／切戻し）の判定例を示す線図である。
【図１１】舵角制御部の構成例を示すブロック図である。
【図１２】レートリミッタの構成例を示すブロック図である。
【図１３】レートリミット値の特性例を示す特性図である。
【図１４】本発明の全体動作例を示すフローチャートである。
【図１５】目標操舵角補正部の動作例を示すフローチャートである。
【図１６】本発明の目標操舵角補正部の構成例（第２実施形態）を示すブロック図である。
【図１７】本発明の目標操舵角補正部の他の構成例（第３実施形態、第４実施形態）を示すブロック図である。
【発明を実施するための形態】
【００２５】
本発明では、運転者から操舵トルクが加わった際に、目標操舵角を操舵トルクが加わった方向と同一方向に補正し、その目標操舵角に一致するように舵角制御を実施する。また、補正部の補正量を車速に応じて可変させることで、車速による車両特性の変化に応じて補正量を適切に設定することが可能となる。トルクに対する補正量の傾き（ゲイン）は、車速が高くなるに従って小さくなるように設定すると共に、補正部の補正量は車速が大きくなるに従って小さくなるリミット値で制限し、過大に補正されないようにする。
【００２６】
本発明ではこれに加えて、不感帯を有するゲイン部の前後のいずれか又は両方に位相補償部を設け、位相補償部の特性をハンドル切戻し時と切増し時で位相補償の特性を変更する。これにより、運転者は舵角制御が中止されない範囲内で操舵している場合、補正量リミット値の範囲で車両を偏向させることができる。リミッタは、自動運転中の運転者による過度な車両偏向を防ぐために設けられている。また、舵角制御からアシスト制御に切り換わる際にも、補正した目標操舵角に対しての舵角制御と、操舵トルクによるアシスト制御の出力とを互いにある割合で足し合わせて制御するため、舵角制御とアシスト制御の出力の方向を一致させることができ、互いの制御出力が干渉し難くなり、切り換え時に発生する運転者への違和感を減少させることが出来る。
【００２７】
また、位相補償部の特性を切戻し時と切増し時で切り換えることにより、切増し時と切戻し時で補正量に差異が生まれるため、操舵トルクのヒステリシスを可変させることが可能となる。位相補償特性を変えることで、動的な操舵特性を調整することができる。例えば、切増し時に位相遅れとした場合、操舵トルクの変化に対して補正量が遅れるため切増し中は操舵トルクが大きくなるため、ヒステリシスを広くすることができる、位相補償部の位相遅れが大きい場合、操舵トルクによる補正量が遅れるため、位相遅れが小さい場合に比べて操舵トルクは大きくなる。例えばヒステリシスを大きくする場合には、切り増し時の位相特性を切り戻し時のそれに比べて位相遅れにすることで、位相補償部の特性を切り換えないときに比べて、操舵時のヒステリシス幅を広く設けることが可能となる。ヒステリシスをつけることにより、操舵感の調整ができると共に、路面からの外乱や舵角制御量の変化に起因するトルク変化に、過度に反応しない利点がある。
【００２８】
以下に、本発明の実施の形態を、図面を参照して詳細に説明する。
【００２９】
図５は本発明の実施形態を図３に対応させて示しており、トルクセンサ１５４からの操舵トルクＴｈに対して、切増し／切戻し判定部１６０からの操舵状態ＳＴ及び車速Ｖｓに応じた演算処理を行い、求めた目標操舵角補正値θｈａを出力する目標操舵角補正部２３０を備え、目標操舵角θｔは、目標操舵角補正部２３０からの目標操舵角補正値θｈａと加算部１４５で加算されて補正される。加算部１４５で補正された補正目標操舵角θｔｏが舵角制御部２００に入力され、舵角制御部２００は実操舵角θｒ及びモータ角速度ωを入力し、演算したモータ電流指令値Ｉｍｒｅｆを出力する。
【００３０】
目標操舵角補正部２３０は図６に示す構成であり（第１実施形態）、操舵トルクＴｈを操舵状態ＳＴに基づいて位相進み補償若しくは位相遅れ補償する位相補償部２３１と、位相補償部２３１からの補償操舵トルクＴｈ１を入力し、図７に示すように補償操舵トルクＴｈ１が小さい領域で不感帯ＤＢを有すると共に、補償操舵トルクＴｈ１の増加方法と同じ方向に増加する補償操舵トルクＴｈ２を出力する不感帯ゲイン部２３２と、補償操舵トルクＴｈ２の上下限値を制限して目標操舵角補正値θｈａを出力するリミッタ２３３とで構成されている。
【００３１】
不感帯ゲイン部２３２には車速Ｖｓが入力されており、図７（Ａ）に示すように、一定の不感帯ＤＢを有し、線形に変化する補償操舵トルクＴｈ２が出力され、出力ゲイン（傾斜）は車速Ｖｓが高くなるに従って小さくなっている。つまり、不感帯ゲイン部２３２からは、車速Ｖｓが高いほど補償操舵トルクＴｈ２は小さく、かつ不感帯ＤＢを有して出力される。図７（Ａ）は不感帯ＤＢが一定で、出力ゲイン（傾斜）が線形となっている例であるが、図７（Ｂ）に示すように、車速Ｖｓに応じて不感帯ＤＢを可変しても良い。つまり、車速Ｖｓが高いほど不感帯ＤＢもＤＢ１→ＤＢ２→ＤＢ３のように大きくなっている。また、図７（Ａ）及び（Ｂ）では出力ゲインは線形に増加しているが、図７（Ｃ）に示すように非線形の増加であっても良い。図７（Ｃ）では車速Ｖｓに応じて不感帯（ＤＢ４〜ＤＢ６）が可変となっているが、一定であっても良い。
【００３２】
また、リミッタ２３３にも車速Ｖｓが入力されており、図８に示すように車速Ｖｓが高くなるに従ってリミット値は小さくなる特性になっている。つまり、リミッタ２３３では、車速Ｖｓが高いほど小さいリミット値で上下限値を制限される。
【００３３】
位相補償部２３１の特性を切戻し時と切増し時の操舵状態ＳＴで切り換えることにより、切増し時と切戻し時で補正量に差異が生まれるため、操舵トルクＴｈのヒステリシスを可変させることが可能となる。図９は位相補償なしの場合（実線の特性Ｂ）、位相遅れ補償の場合（破線の特性Ｃ）、位相進みの場合（一点鎖線の特性Ｄ）の特性を示しており、位相補償部２３１の位相遅れが大きい場合、操舵トルクＴｈの変化に対して補正量が遅れるため、位相遅れが小さい場合に比べて操舵トルクは大きくなる。自動操舵中は、運転者が操舵してトルクが上昇すると、ハンドルを目標操舵角θｔに戻そうとするため、操舵角θと操舵トルクＴｈの関係は図９の特性Ａのようになる。トルクに応じて目標操舵角θｔを補正するロジックを入れると、特性Ｂのように操舵角θと操舵トルクＴｈの関係を変えることができる。そして、位相進みの場合には補正が早めに入るので、特性Ｄのようになり、位相遅れの場合には補正が遅れるので、特性Ｃのようになる。
【００３４】
位相補償部２３１に入力される操舵状態ＳＴは、切増し／切戻し判定部１６０で判定される。切増し／切戻し判定部１６０は例えば図１０に示すに示すように、操舵角θとモータ角速度ωの符号が一致する場合を切増しと判定し、符号の異なる場合を切戻しと判定している。切増し／切戻しの判定は以下の信号の組み合わせでも良いが、いずれの場合も符号が一致している場合を切増し、不一致の場合を切戻しと判定する。実操舵角とモータ角速度との関係、又は実操舵角と舵角速度との関係、又は操舵トルクと舵角速度による判定、舵角速度と、補正前の目標操舵角及び実操舵角の偏差とによる判定、補正前の目標操舵角の変化率及び舵角速度の偏差と、補正前の目標操舵角及び操舵角の偏差とによる判定などがある。
【００３５】
目標舵角補正部２３０で補正された目標操舵角補正値θｈａは、補正出力部としての加算部１４５に入力され、加算部１４５で目標操舵角θｔを補正した補正目標操舵角θｔｏ（＝θｔ＋θｈａ）が舵角制御部２００に入力され、舵角制御部２００はモータ電流指令値Ｉｍｒｅｆを演算して出力する。
【００３６】
図１１は舵角制御部２００の構成例を示しており、加算部１４５からの補正目標操舵角θｔ０が急激に変化した場合の平滑化、つまり所定時間変化率の範囲内で円滑に変化するようにするレートリミッタ２１１に補正目標操舵角θｔ０が入力され、高周波の外乱を除去するＬＰＦ２１２を経た目標操舵角θｔａが減算部２１３Ａに加算入力される。実操舵角θｒは減算部２１３Ａに減算入力され、平滑化された目標操舵角θｔａとの角度偏差が比例ゲイン（Ｋｐｐ）部２１４でゲインＫｐｐ倍され、モータ速度指令値ωｅとして減算部２１３Ｂに加算入力される。減算部２１３Ｂにはモータ角速度演算部１４４からモータ角速度ωが減算入力され、演算された速度偏差Ｄｆが積分部２１６Ａを経て積分ゲイン（Ｋｖｉ）部２１６ＢでゲインＫｖｉ倍されて減算部２１３Ｃに加算入力されると共に、速度偏差Ｄｆは比例ゲイン（Ｋｖｐ）部２１６ＣでゲインＫｖｐ倍されて減算部２１３Ｃに減算入力される。減算部２１３Ｃでの減算結果であるモータ電流指令値Ｉｂは、上下限値を制限するリミッタ２１７を経てモータ電流指令値Ｉｍｒｅｆとして出力される。
【００３７】
レートリミッタ２１１は、補正目標操舵角θｔ０が急激に変化した場合に円滑化して出力するものであり、例えば図１２に示すような構成となっている。即ち、補正目標操舵角θｔ０は減算部２１１−１に加算入力され、保持部（Ｚ−１）２１１−４からの過去値との減算結果である操舵角θｔ１が変化分設定部２１１−２に入力される。変化分設定部２１１−２は、操舵角θｔ１に対して上下限処理を施し、変化分θｔ２として加算部２１１−３に出力する。加算部２１１−３は、変化分θｔ２と過去値との加算結果を新たな目標操舵角θｔ３として出力する。変化分設定部２１１−２は、変化分が設定された上限及び下限を超えないように制限するものである。演算周期Ｔ毎に実施される処理は、入力（目標操舵角）θｔ０と前回演算周期の目標操舵角θｔ３との差分を求め、変化分設定部２１１−２の上限及び下限の範囲外の場合には、上限或いは下限で制限された差分θｔ２を過去値に加算することを繰返し行うことにより実施される。この処理により得られる結果の例を、図１３に示す。上限をＳとしており、大きさ４Ｓのステップ状の入力（目標操舵角）θｔ０があったとしても、大きさＳの階段状に出力θｔ３を変化させて、最終的に出力θｔ３を目標操舵角θｔ０に一致させる。また、入力（目標操舵角）θｔ０との差分が変化分設定部２１１−２の上限及び下限の範囲内の場合には、変化分θｔ２＝差分θｔ１を出力し、過去値に加算するので、その結果出力θｔ３と入力（目標操舵角）θｔ０は一致する。図１３においては、上限を４Ｓ以上に設定した場合に対応する。これらの結果、目標操舵角θｔ０が急激に変化しても、急激に変化する目標操舵角θｔ０を滑らかに変化させることができ、急激な電流変化（＝急激な操舵）を防止し、運転者に自動運転の不安感を減少させる機能を果たしている。
【００３８】
このような構成において、全体の動作例を図１４のフローチャートを参照して説明する。
【００３９】
操舵系の動作がスタートすると、トルク制御部１４１によるトルク制御が実施され（ステップＳ１）、モータ電流指令値Ｉｔｒｅｆを用いて電流制御/駆動部１４３によりモータ１５０が駆動される（ステップＳ２）。上記動作は切換指令部１３１より切換指令ＳＷが出力されるまで繰り返される（ステップＳ３）。
【００４０】
自動操舵制御となり、切換指令部１３１より切換指令ＳＷが出力されると、操舵トルクＴｈが入力され（ステップＳ４）、切増し／切戻し判定部１６０で操舵状態ＳＴが判定され（ステップＳ５）、車速Ｖｓが入力され（ステップＳ６）、目標操舵角補正部２３０で目標操舵角補正値θｈａが演算される（ステップＳ１０）。
【００４１】
また、目標操舵角生成部１３２から目標操舵角θｔが入力され（ステップＳ２０）、加算部１４５で目標操舵角θｔに目標操舵角補正値θｈａを加算することによって補正され（ステップＳ２１）、補正された補正目標操舵角θｔｏが舵角制御部２００に入力される（ステップＳ２２）。また、舵角センサ１５２から実操舵角θｒが入力され（ステップＳ２３）、モータ角速度演算部１４４からモータ角速度ωが入力され（ステップＳ２４）、舵角制御部２００でモータ電流指令値Ｉｍｒｅｆが生成される（ステップＳ２５）。その後、切換部１４２が切換指令部１３１からの切換指令ＳＷにより切り換えられ（ステップＳ２６）、舵角制御部２００からのモータ電流指令値Ｉｍｒｅｆを用いて電流制御／駆動部１４３によりモータ１５０を駆動し（ステップＳ２７）、上記ステップＳ３にリターンする。モータ電流指令値Ｉｍｒｅｆによる駆動制御は、切換指令部１３１から切換指令ＳＷが変更されるまで繰り返される。
【００４２】
次に、目標操舵角補正部２３０の動作例（図１４のステップＳ１０）を図１５のフローチャートを参照して説明する。
【００４３】
位相補償部２３１は、操舵トルクＴｈを操舵状態ＳＴに基づいて位相進み補償若しくは位相遅れ補償し（ステップＳ１１）、位相補償部２３１からの補償操舵トルクＴｈ１は不感帯ゲイン部２３２に入力され、車速Ｖｓに基づいてゲイン倍される（ステップＳ１２）。不感帯ゲイン部２３２からの補償操舵トルクＴｈ２はリミッタ２３３に入力され、車速Ｖｓに応じたリミット値で補償操舵トルクＴｈ２の上下限値が制限され（ステップＳ１３）、上下限値を制限された目標操舵角補正値θｈａが出力される（ステップＳ１４）。
【００４４】
図６の目標操舵角補正部２３０では、位相補償された補償操舵トルクＴｈ１を不感帯ゲイン部２３２に入力してゲイン倍しているが、図１６に示すように操舵トルクＴｈを不感帯ゲイン部２３２に入力してゲイン倍した後に、位相補償部２３１で位相補償するようにしても良い（第２実施形態）。また、図１７（Ａ）に示すように、図６に示した第１実施形態の不感帯ゲイン部２３２の後段に第２の位相補償部２３１Ａを設けても良い（第３実施形態）。この場合、２つの位相補償部２３１及び２３１Ａのいずれか一方を主として目標補正に使用し、他方をノイズ除去等に用いることができ、より滑らかなフィーリングを得ることができる。更に、図１７（Ｂ）に示すように、図１６に示した第２実施形態の不感帯ゲイン部２３２の前段に第２の位相補償部２３１Ｂを設けても良い（第４実施形態）。この場合も、２つの位相補償部２３１及び２３１Ｂのいずれか一方を主として目標補正に使用し、他方をノイズ除去等に用いることができ、より滑らかなフィーリングを得ることができる。
【符号の説明】
【００４５】
１                    ハンドル（ステアリングホイール）
２                    コラム軸（ステアリングシャフト、ハンドル軸）
１０、１５４          トルクセンサ
１２                  車速センサ
１４                  舵角センサ
２０、１５０          モータ
３０                  コントロールユニット（ＥＣＵ）
１３０                車両側ＥＣＵ
１４０                ＥＰＳ側ＥＣＵ
１４１                アシスト制御部
１４２                切換部
２００                舵角制御部
２１０                位置制御部
２２０                速度制御部
２３０                目標操舵角補正部
２３１，２３１Ａ，２３１Ｂ    位相補償部
２３２                不感帯ゲイン部
２３３                リミッタ
【要約】
【課題】自動操舵制御中に運転者がハンドルを操舵した時に、簡易な構成で円滑に操舵を切り換えることができ、運転者に違和感を与えないようにした高性能な電動パワーステアリング装置を提供する。
【解決手段】少なくとも操舵トルクに基づいて演算された第１のモータ電流指令値によりモータを駆動する手動操舵制御と、舵角制御部で、目標操舵角に実操舵角を追従させるように演算された第２のモータ電流指令値によりモータを駆動する自動操舵制御とを切り換える機能を有する電動パワーステアリング装置において、操舵トルクに対して、操舵状態及び車速に応じた演算処理を行い、目標操舵角補正値を出力する目標操舵角補正部と、目標操舵角を目標操舵角補正値で補正し、補正された補正目標操舵角を制御部に入力する補正出力部とを具備する。
【選択図】図６【図１】
0006477995.tif 000002
【図２】
0006477995.tif 000003
【図３】
0006477995.tif 000004
【図４】
0006477995.tif 000005
【図５】
0006477995.tif 000006
【図６】
0006477995.tif 000007
【図７】
0006477995.tif 000008
【図８】
0006477995.tif 000009
【図９】
0006477995.tif 000010
【図１０】
0006477995.tif 000011
【図１１】
0006477995.tif 000012
【図１２】
0006477995.tif 000013
【図１３】
0006477995.tif 000014
【図１４】
0006477995.tif 000015
【図１５】
0006477995.tif 000016
【図１６】
0006477995.tif 000017
【図１７】
0006477995.tif 000018